(57)【要約】【課題】本発明は、表示・操作入力が可能なタッチスクリーンを備え、タッチスクリーンに一度に多くの情報を表示できるとともに、ユーザがタッチスクリーンに表示された操作可能な項目を片手で簡単に選択できる携帯端末を提供する。【解決手段】データの表示及び操作入力を行うタッチスクリーンを備えるとともに、タッチスクリーンに、操作可能な項目を含んだ表示情報を表示する第１の表示手段３０と、第１の表示手段の表示情報からユーザにより操作可能な項目を抽出する抽出手段と、抽出された項目をタッチスクリーンに上位レイヤで表示する第２の表示手段３３と、第２の表示手段３３により表示された項目に対する操作入力を、第１の表示手段により表示された項目に対する操作入力として受け付ける受付手段と、を備えた。【選択図】  図３
2010160564.tif 000002
【特許請求の範囲】
【請求項１】
データの表示及び操作入力を行うタッチスクリーンを備えるとともに、
前記タッチスクリーンに、操作可能な項目を含んだ表示情報を表示する第１の表示手段と、
前記第１の表示手段の表示情報からユーザにより操作可能な項目を抽出する抽出手段と、
前記抽出手段により抽出された項目を前記タッチスクリーンに上位レイヤで表示する第２の表示手段と、
前記第２の表示手段により表示された項目に対する操作入力を、前記第１の表示手段により表示された項目に対する操作入力として受け付ける第１の受付手段と、
を備えたことを特徴とする携帯端末。
【請求項２】
前記第２の表示手段に表示させるための指示を受け付ける第２の受付手段を備え、
前記抽出手段は、前記第２の受付手段により指示が受け付けられたことに基づいて、抽出を開始し、
前記第２の表示手段は、前記第１の受付手段により操作入力が受け付けられた場合、表示を終了することを特徴とする請求項１記載の携帯端末。
【請求項３】
前記第２の表示手段により表示がされている間、前記第１の表示手段における操作入力を禁止する禁止手段を備えたことを特徴とする請求項２記載の携帯端末。
【請求項４】
前記抽出手段は、所定個数の操作可能な項目を抽出するとともに、
前記抽出手段により抽出される項目を変更させるための指示を受け付ける第３の受付手段を備え、
前記第３の受付手段により指示が受け付けられた場合、前記抽出手段は、抽出対象とする項目を変更して再度操作可能な項目を抽出し、第２の表示手段は、前記抽出手段により再度抽出された項目を表示することを特徴とする請求項１記載の携帯端末。
【請求項５】
前記第２の表示手段は、前記抽出手段により抽出された各々の項目に識別子を付して、それらの識別子を表示し、
前記第１の表示手段は、前記第２の表示手段により各々の項目の識別子が表示されている間、前記各々の項目に対して上位レイヤで識別子を表示することを特徴とする請求項１記載の携帯端末。
【発明の詳細な説明】
【技術分野】
【０００１】
本発明は、データの表示・操作入力を行うタッチスクリーンを備え、リンクやテキストボックス等の入力インタフェースを表示する際に、ユーザの持ち手の指で選択可能な位置にこれらのインタフェースをまとめて表示することができる携帯端末に関する。
【背景技術】
【０００２】
近年、携帯電話機等の携帯端末の小型化が進み、ユーザが片手のみを用いて操作できる携帯端末が増えてきている。ユーザが片手で携帯端末のタッチスクリーンを操作する場合、ユーザの持ち手の指から遠い位置に表示された項目をその指のみで操作するのは困難であった。
【０００３】
そこで、ユーザに特に意識させることなく、ユーザにとって最適な表示を行なうことができる、持ちやすい情報処理装置が提案されている（特許文献１参照）。この情報処理装置は、片手で保持可能な大きさの、主表面を有する概略長方体形状を有する扁平な筐体を含み、筐体は、主表面をはさんで配置された第１及び第２の側面を有し、さらに、主表面に設けられた表示面を有する表示装置と、第１及び第２の側面に設けられ、第１及び第２の側面と人の手との接触領域の分布を検知するためのシート状の感圧センサと、感圧センサの出力に基づいて、表示装置により表示面上に表示される内容を制御するための制御部とを含むものである。
【先行技術文献】
【特許文献】
【０００４】
【特許文献１】特開２００８−２７１８３号公報
【発明の概要】
【発明が解決しようとする課題】
【０００５】
一方で、携帯電話機等の携帯端末の多機能化／高機能化が進み、ユーザがディスプレイに触れることにより操作入力できるタッチスクリーンが搭載された携帯端末が増えてきている。これらの携帯端末において一度に表示可能な情報が多くなるのに伴い、ユーザにより多くの情報を提供するために、タッチスクリーンに表示される文字や画像が小さく表示されるようになってきている。そして、タッチスクリーンにおいて、リンクや選択ボタンやテキストボックス等の、ユーザにより操作される項目でさえも小さく表示されるようになり、特にユーザの指よりも小さく表示された場合には、ユーザが指を使って所望の項目を選択するのが難しくなってきている。
【０００６】
また、タッチスクリーンにおいて、ユーザの持ち手の指で届かない位置に操作可能な項目が表示されてしまった場合には、ユーザが持ち手の指でその項目を選択することが難しくなってしまう。
【０００７】
本発明は、上記課題を鑑みてなされてものであり、表示・操作入力が可能なタッチスクリーンを備え、タッチスクリーンに一度に多くの情報を表示できるとともに、ユーザがタッチスクリーンに表示された操作可能な項目を簡単に選択できる携帯端末を提供することを目的とする。
【課題を解決するための手段】
【０００８】
上記課題を解決するために、本発明に係る携帯端末は、データの表示及び操作入力を行うタッチスクリーンを備えるとともに、前記タッチスクリーンに、操作可能な項目を含んだ表示情報を表示する第１の表示手段と、前記第１の表示手段の表示情報からユーザにより操作可能な項目を抽出する抽出手段と、前記抽出手段により抽出された項目を前記タッチスクリーンに上位レイヤで表示する第２の表示手段と、前記第２の表示手段により表示された項目に対する操作入力を、前記第１の表示手段により表示された項目に対する操作入力として受け付ける第１の受付手段と、を備えたことを特徴とする。
【発明の効果】
【０００９】
本発明に係る携帯端末によると、表示・操作入力が可能なタッチスクリーンを備え、タッチスクリーンに一度に多くの情報を表示できるとともに、ユーザがタッチスクリーンに表示された操作可能な項目を簡単に選択することが可能となる。
【図面の簡単な説明】
【００１０】
【図１】本発明に係る携帯端末（携帯電話機）を示す斜視図。
【図２】本発明に係る携帯端末（携帯電話機）の機能ブロック図。
【図３】（Ａ）は、本発明に係る携帯端末（携帯電話機）の表示画面にＷｅｂページが表示された場合の一例を示す画面図、（Ｂ）は、本発明に係る携帯端末（携帯電話機）の表示画面にＷｅｂページが表示されるとともに、そのＷｅｂページにおける操作可能な項目を選択するための入力パネルが表示された場合の一例を示す画面図。
【図４】本発明に係る携帯端末（携帯電話機）が表示制御処理を行う際の手順を示すフローチャート。
【図５】操作可能の項目と識別情報との対応情報を示すデータ構成図。
【図６】本発明に係る携帯端末（携帯電話機）の表示画面に表示された入力パネルから、項目が選択された場合の一例を示す画面図。
【図７】本発明に係る携帯端末（携帯電話機）の表示画面に表示された入力パネルから、項目が選択された場合の一例を示す画面図。
【図８】本発明に係る携帯端末（携帯電話機）の表示画面に表示された入力パネルから、項目が選択された場合の一例を示す画面図。
【図９】本発明に係る携帯端末（携帯電話機）の表示画面にＷｅｂページが表示されるとともに、そのＷｅｂページにおける操作可能な項目を選択するための入力パネルが表示された場合の一例を示す画面図。
【図１０】本発明に係る携帯端末（携帯電話機）の表示画面にＷｅｂページが表示されるとともに、そのＷｅｂページにおける操作可能な項目を選択するための入力パネルが表示された場合の一例を示す画面図。
【発明を実施するための形態】
【００１１】
本発明に係る携帯端末の実施形態について、添付図面を参照しながら説明する。本発明に係る携帯端末として、カード型に形成され、ユーザがディスプレイを指で触れることで操作することができる携帯電話機１を例に挙げて説明する。図１は、携帯電話機１を示す斜視図である。
【００１２】
携帯電話機１は、図１に示すように、矩形の板状の筐体１１を備えている。筐体１１の一方の面には、文字や画像等からなる画面を表示するとともに、指やペン等の接触を検知することにより情報を入力するタッチスクリーン１２と、音声を出力するためのスピーカ１３と、音声を入力するためのマイクロフォン１４と、携帯電話機１の電源のＯＮ／ＯＦＦ状態を切り替えるための電源ボタン１５とを備えている。
【００１３】
タッチスクリーン１２は、文字や画像等からなる画面を表示する表示機能、及び、指や専用のペンが画面に触れることで、その触れた位置に基づいた情報が入力される入力機能の双方の機能を備えたディスプレイである。タッチスクリーン１２は、例えば、ディスプレイの上面に表面の接触を検知するための素子が複数配置され、さらにその上に透明なスクリーンが積層されることにより形成されている。また、タッチスクリーン１２上での接触を検知する方法は、圧力の変化を感知する感圧式であっても、静電気による電気信号を感知する静電式、その他の方法であっても良い。
【００１４】
次に、携帯電話機１の機能について、図２に示す機能ブロック図に基づいて説明する。携帯電話機１は、図２に示すように、主制御部２０、電源回路部２１、操作入力制御部２２、表示制御部２３、記憶部２４、音声制御部２５、及び通信制御部２６がバスによって相互に電気的に接続されて構成されている。
【００１５】
主制御部２０は、ＣＰＵ（Ｃｅｎｔｒａｌ  Ｐｒｏｃｅｓｓｉｎｇ  Ｕｎｉｔ）を具備し、携帯電話機１の総括的な制御を行うとともに、後述する表示制御処理や、その他様々な演算処理や制御処理等を行う。電源回路部２１は、ユーザによる電源ボタン１５を介した入力に基づいて電源のオン／オフ状態を切り替え、電源がオン状態の場合に内蔵されている電力供給源（バッテリ等）または外部に接続されている電力供給源から各部に対して電力を供給して、携帯電話機１を動作可能にする。
【００１６】
入力制御部２２はタッチスクリーン１２に対する入力インタフェースを備え、例えばタッチスクリーン１２にかかった圧力を検出して、この位置を示す信号を生成し、この信号を主制御部２０に伝送する。表示制御部２３はタッチスクリーン１２に対する表示インタフェースを備え、主制御部２０の制御に基づいて、文字や画像等を含んだ表示画面をタッチスクリーン１２に表示する。
【００１７】
記憶部２４は、主制御部２０が行う処理の処理プログラムや処理に必要なデータ等を格納するＲＯＭ（Ｒｅａｄ  Ｏｎｌｙ  Ｍｅｍｏｒｙ）やハードディスク、不揮発性メモリ、主制御部２０が処理を行う際に使用されるデータを一時的に記憶するＲＡＭ（Ｒａｎｄｏｍ  Ａｃｃｅｓｓ  Ｍｅｍｏｒｙ）等の記憶装置からなる。なお、主制御部２０が行う表示制御処理に使用される処理プログラムやデータ等は、記憶部２４に記憶されているものとする。
【００１８】
音声制御部２５は、主制御部２０の制御に基づいて、マイクロフォン１４により入力された音声からアナログ音声信号を生成し、このアナログ音声信号をデジタル音声信号に変換する。また音声制御部２５は、デジタル音声信号を取得すると、主制御部２０の制御に基づいて、このデジタル音声信号をアナログ音声信号に変換し、スピーカ１３から音声として出力する。
【００１９】
通信制御部２６は、主制御部２０の制御に基づいて、基地局からアンテナ２６ａを介して受信した受信信号をスペクトラム逆拡散処理してデータを復元する。このデータは、主制御部２０の指示により、音声制御部２５に伝送されてスピーカ１３から出力されたり、表示制御部２３に伝送されてタッチスクリーン１２に表示されたり、または記憶部２４に記憶されたりする。
【００２０】
また通信制御部２６は、主制御部２０の制御に基づいて、マイクロフォン１４を介して入力された音声信号やタッチスクリーン１２を介して入力されたデータや記憶部２４に記憶されたデータを取得すると、これらのデータに対してスペクトラム拡散処理を行い、基地局に対してアンテナ２６ａを介して送信する。
【００２１】
ここで、例えば図３（Ａ）に示すように、携帯電話機１の高機能化に伴い、タッチスクリーン１２に表示される情報が多くなると、各々の表示項目がタッチスクリーン１２の表示画面３０において縮小されて表示されてしまい、ユーザが持ち手の指で所望の項目を選択する場合等に、それらの項目を正確に操作することが難しくなってしまっていた。
【００２２】
また、ユーザが携帯電話機１を保持した状態で、タッチスクリーン１２の表示画面３０において全面に情報が表示された際に、ユーザの持ち手の指で届かない範囲が生じるため、ユーザが持ち手でない側の手の指でタッチスクリーン１２の操作を行わなければならない場面も考えられる。
【００２３】
そこで携帯電話機１は、表示画面３０上に表示されている情報の中から、ユーザにより操作可能な項目を抽出し、それらの抽出された項目をユーザの持ち手の指の近辺にまとめて表示することで、ユーザが持ち手の指で簡単にタッチスクリーン１２を操作できる機能を備えている。
【００２４】
すなわち携帯電話機１は、タッチスクリーン１２の表示画面３０から操作可能な項目を抽出する。例えば図３（Ｂ）に示すように、表示画面３０にＷｅｂページが表示されていて、表示画面３０にリンク３１やテキストボックス３２等のユーザにより操作可能な項目が含まれている場合には、携帯電話機１は、これらの操作可能な項目に対して識別子（例えば識別番号）を付し、表示画面３０において、各々の項目の上に識別子をそれぞれオーバーレイ等で重ねて表示する。
【００２５】
例えば図３（Ｂ）に示すように、表示画面３０の最上部にある３つのリンク３１にそれぞれ「１」乃至「３」の番号が付されオーバーレイで表示され、上から２段目にある３つのリンク３１にそれぞれ「４」乃至「６」の番号が付されオーバーレイで表示され、上から３段目にあるテキストボックス３２に「７」の番号が付されオーバーレイで表示され、上から４段目にある２つのリンク３１にそれぞれ「８」及び「９」の番号が付されオーバーレイで表示されている。
【００２６】
一方で携帯電話機１は、ユーザにより操作可能な項目に対して付された識別子にそれぞれ対応する識別子ボタン３４を入力パネル３３に配置し、この入力パネル３３を表示画面３０に、ユーザの持ち手の指で操作しやすい位置にオーバーレイで表示する。この際、携帯電話機１は、表示画面３０に入力パネル３３を表示している間は、誤動作防止のために、元々の表示画面３０に表示されている各々の項目を操作無効にする。
【００２７】
携帯電話機１は、入力パネル３３に表示された識別子ボタン３４を、もともとの表示画面３０上の項目にそれぞれ関連付けておき、ユーザにより入力パネル３３上のいずれかの識別子ボタン３４が選択された場合に、この識別子に関連付けられた項目が選択されたものとして、表示画面３０においてこの項目が選択された場合の処理を行う。
【００２８】
携帯電話機１は、ユーザにより操作可能な項目をタッチスクリーン１２に表示した場合に、タッチスクリーン１２を用いた所定操作等によるユーザによる指示に従って、これらの操作可能な項目を入力パネル３３を用いてユーザの持ち手の指の近辺にまとめて表示する（なお、ユーザの持ち手の指の近辺とは、例えば携帯電話機１の右下の固定の点の近辺とすることが望ましいが、これに限定されず、他の固定の点の近辺でもよい）。携帯電話機１がこの表示制御処理を行う際の手順について、図４に示すフローチャートに基づいて説明する。以下、例えば「ステップＳ１０１」を「Ｓ１０１」のように、「ステップ」の語句を省略して説明する。
【００２９】
携帯電話機１がタッチスクリーン１２に表示画面３０を表示しているとき、例えばユーザは表示画面３０に表示された「抽出」ボタン３０ａを選択したり、タッチスクリーン１２を線状に滑らせながら触れたりすることで、携帯電話機１に対して、この表示画面３０に表示されているリンクやテキストボックス等を操作するための入力パネル３３を表示させるように指示を出す。ユーザにより入力パネル３３の表示が指示された場合、まず主制御部２０は、一つの操作で複数の動作が実行されてしまう等の誤動作を防止するために、表示画面３０における直接の操作を無効化する（Ｓ１０１）。すなわち主制御部２０は、図３（Ｂ）に示すように、表示画面３０にリンク３１等が表示されていて、ユーザにより表示画面３０上のこれらのリンク３１等が選択されたときに、この選択を無効にするように制御する。
【００３０】
主制御部２０は、表示画面３０に表示されているコンテンツを解析して、ユーザにより操作可能な項目（例えばリンクやボタン、テキストボックス、選択ボックス等）を所定個数抽出する（Ｓ１０２）。このときの所定個数は、入力パネル３３に表示できる個数であり、例えば、識別子「１」乃至「９」によって識別される９個である。操作可能な項目が所定個数に達していない場合は、すべての操作可能な項目が抽出される。
【００３１】
主制御部２０は、ステップＳ１０２（またはステップＳ１１０）にて抽出された操作可能な項目の表示位置、及びこの項目が選択された場合の動作をそれぞれ識別子に対応付けて対応情報４０を生成し、この対応情報４０を記憶部２６に記憶する（Ｓ１０３）。対応情報４０は、例えば図５に示すように、操作可能な項目の識別子を示す識別子情報４１に対して、この項目の表示位置を示す表示位置情報４２、この項目が選択された場合の動作を示す動作情報４３が対応付けられた情報である。
【００３２】
対応情報４０において、例えば図５に示すように、識別子「１」の項目に対して、表示位置（７０，７０）及び「ｈｔｔｐ：／／ｗｗｗ．ｘｘ１．ｊｐのホームページを表示する」の動作が対応付けられていて、また、識別子「７」の項目に対して、表示位置（１５０，１１５）及び「テキストボックスにカーソルを合わせてキーボードを表示する」の動作が対応付けられている。
【００３３】
主制御部２０は、ステップＳ１０２にて抽出された操作可能な項目に対して、ステップＳ１０３にて対応付けられた識別子を、上位レイヤを用いて表示画面３０に表示する（Ｓ１０４）。例えば図３（Ｂ）に示すように、表示画面３０における各々の項目に対して、各々の識別子が各々の項目の近辺に表示されるため、ユーザは、各々の項目がどの識別子に対応するかを確認することができる。
【００３４】
主制御部２０は、ユーザにより選択可能なように識別子を配置した入力パネル３３を、表示画面３０におけるユーザの保持している位置の近辺（例えばユーザが携帯電話機１を右手で保持する設定をしている場合は、携帯電話機１の表示画面３０の右下の固定部分の近辺領域）に表示する（Ｓ１０５）。例えば図３（Ｂ）に示すように、表示画面３０に、「１」乃至「９」の識別子ボタン３４が配置された入力パネル３３が表示される。また、この入力パネル３３には、上位の操作可能な項目を表示させるための「↑」や、下位の操作可能な項目を表示させるための「↓」等の矢印ボタン３５、入力パネル３３を非表示にするための「×」等の終了ボタン３６が配置されている。
【００３５】
ユーザは、この入力パネル３３の中から任意の識別子ボタン３４または矢印ボタン３５や終了ボタン３６を例えば指で触れることにより、入力パネル３３を操作する。よって主制御部２０は、入力パネル３３が操作されたか否かを判断する（Ｓ１０６）。入力パネル３３が操作されていない場合（Ｓ１０６のＮｏ）は、主制御部２０は入力パネル３３が操作されるまで待機する。
【００３６】
入力パネル３３が操作された場合（Ｓ１０６のＹｅｓ）は、主制御部２０は、ステップＳ１０４にて表示画面３０への表示が開始された識別子、及び、ステップＳ１０５にて表示画面３０への表示が開始された入力パネル３３について、表示を終了する（Ｓ１０７）。
【００３７】
主制御部２０は、ステップＳ１０６における入力内容を判断する（Ｓ１０８）。入力パネル３３に配置された「１」乃至「９」の識別子ボタン３４のいずれかが選択された場合（Ｓ１０８；識別子）は、主制御部２０は、ステップＳ１０３にて記憶部２６に記憶した対応情報４０に基づいて、選択された識別子に対応付けられた動作を実行する（Ｓ１０９）。
【００３８】
例えばユーザにより「１」の識別子ボタン３４が選択された場合には、対応情報４０において識別子「１」に対応付けられた動作である「ｈｔｔｐ：／／ｗｗｗ．ｘｘ１．ｊｐのホームページを表示する」に従い、図６に示すように、タッチスクリーン１２の表示画面３０にこのホームページを表示する。
【００３９】
また、例えばユーザにより「７」の識別子ボタン３４が選択された場合には、対応情報４０において識別子「７」に対応付けられた動作である「テキストボックスにカーソルを合わせてキーボードを表示する」に従い、図７に示すように、テキストボックス３２にカーソルを設定して、表示画面３０の下部にソフトウェアキーボード３７を表示する。このソフトウェアキーボード３７が表示された表示画面３０上において、ユーザが指やペン等で各々のキーの位置に触れることで、この触れた位置にあるキーに対応した文字列がテキストボックス３２に入力される。
【００４０】
また、例えばユーザにより「↑」または「↓」等の矢印ボタン３５が選択された場合（Ｓ１０８；矢印）は、ステップＳ１０２にて抽出された項目に対して、「↓」ボタンが選択されたら下の項目を所定個数だけ抽出し、「↑」ボタンが選択されたら上の項目を所定個数だけ抽出する（Ｓ１１０）。そしてステップＳ１０３に戻って、主制御部２０は再びステップＳ１０３乃至Ｓ１０８の処理を行う。
【００４１】
例えば図３（Ｂ）に示す状態で操作可能な項目に識別子が付されていた際に、「↓」ボタンが選択された場合には、図８に示すように、ステップＳ１０３にて、それらの項目の下に配置されている操作可能な項目に対して、上から順に識別子を付け直し、ステップＳ１０４にて、この識別子を表示画面３０において表示し、ステップＳ１０５にて、これらの識別子に対応する入力パネル３３を表示する。
【００４２】
ステップＳ１０９にて識別子に対応した動作を実行した後、または、ユーザにより終了ボタン３６が選択された場合（Ｓ１０８；終了）は、主制御部２０は、ステップＳ１０１にて無効にした表示画面３０における直接の操作を有効にする（Ｓ１１１）。これにより、表示画面３０は、再び図３（Ａ）に示す状態で表示され、ユーザは、指やペン等で元々の表示画面３０を触れることにより、携帯電話機１を操作することができる。
【００４３】
このように携帯電話機１は、ユーザにより操作可能な項目をタッチスクリーン１２に表示する場合に、これらの操作可能な項目を抽出して、各々の項目に対して識別子を付し、表示画面３０における各々の項目上にオーバーレイ等でその識別子を表示するとともに、各々の項目に関連付けられた識別子ボタン３４を配置した入力パネル３３を、表示画面３０においてユーザが操作しやすい位置に表示する。
【００４４】
ユーザは、入力パネル３３上の識別子ボタン３４を選択することにより各々の項目を選択する。そして携帯電話機１は、ユーザにより選択された項目がリンクであった場合には、リンク先のコンテンツを表示する。ユーザにより選択された項目が文字列を入力するためのテキストボックスであった場合には、このテキストボックスにカーソルを移動させ、ソフトウェアキーボード３７を表示する。また、ユーザにより選択された項目が矢印ボタン３５であった場合には、入力パネル３３に配置する項目の抽出対象とする範囲を切り替える。その際に、必要に応じて表示画面３０がスクロールされるようにすると良い。
【００４５】
この際、携帯電話機１は、抽出対象とする項目の個数を無制限にしてしまうと視認性や操作性に問題が生じる恐れがあるため、抽出対象とする項目の個数を制限するとともに、選択可能な範囲を切り替えながら動作させるようにしている。
【００４６】
また携帯電話機１は、表示画面３０に入力パネル３３が表示されている間は、誤動作防止のために、元々の表示画面３０に表示されている項目の操作入力を無効にし、直接操作できないようにしている。このとき、有効な操作対象を明確にするために、元々の表示画面３０のコントラストが低くなるように設定されるようにすると良い。
【００４７】
なお、ユーザにより操作可能な項目を抽出する際に、表示画面３０における抽出対象の項目や、表示画面３０において各々の項目に対して付された識別子、入力パネル３３における識別子の表示を大きく拡大して表示するようにしても良い。または、表示画面３０上における入力パネル３３の表示位置を、ユーザの持ち手に合わせて変更するようにしても良い。この際、例えばユーザが右手で携帯電話機１を保持していた場合には、表示画面３０における右下部分に表示し、ユーザが左手で携帯電話機１を保持する設定をしていた場合には、表示画面３０における左下部分に表示すると良い。
【００４８】
また、タッチスクリーン１２が長押しされたことに基づいて、操作可能な項目を抽出して入力パネル３３を表示するようにし、このとき、タッチスクリーン１２の表示画面３０上における長押しされた位置を入力パネル３３の表示位置としても良い。
【００４９】
さらに、表示画面３０において操作可能な項目が密集して表示されていて、表示画面３０に識別子が表示された際に複数の識別子が重なってしまって見えづらい場合には、携帯電話機１は、項目の直上に識別子を表示せずに、各々の識別子が重ならないように離れた位置に表示する。その場合には、携帯電話機１は、識別子とそれに関連付けられた項目とをそれぞれ線で結んで、関連付けを明確にして表示すると良い。
【００５０】
また、本発明の実施形態として、操作可能な項目に対して識別子を付して、それらの識別子を入力パネル３３に配置する例について説明したが、これに限定されず、例えば図９に示すように、操作可能な項目がリンクである場合にはリンク先を示す情報、テキストボックスであればテキストボックスに入力される内容を示す情報等、文字列を識別子として操作可能な項目に付し、これらの文字列を示す識別子ボタン３４Ａを入力パネル３３Ａに配置して、この文字列に基づいてユーザに項目を選択させるようにしても良い。例えば画面がＨＴＭＬ（ＨｙｐｅｒＴｅｘｔ  Ｍａｒｋｕｐ  Ｌａｎｇｕａｇｅ）で記述されている場合には、“ａｌｔ（代替テキスト）”等の属性情報に基づいて表示するようにすると良い。また、例えば画面がアプリケーションプログラムにより生成されている場合には、そのアプリケーションプログラムのインタフェースから名称を抽出して表示するようにすると良い。
【００５１】
また、本発明の実施形態として、操作可能な項目に対して「１」乃至「９」の識別子を付して、９個の項目を入力パネル３３に配置する例について説明したが、これに限定されず、例えば図１０に示すように、１０以上の項目に対して識別子を付して、「０」乃至「９」の識別子ボタン３４が配置された入力パネル３３Ｂを表示して、ユーザにこの入力パネル３３Ｂから複数の識別子ボタン３４を選択させることにより、２桁以上の識別子を入力させるようにしても良い。例えばユーザが入力パネル３３Ｂにおいて「０」、「２」と順に選択した場合には、「２」の識別子が選択されたものとし、また、ユーザが入力パネル３３Ｂにおいて「１」、「２」と順に選択した場合には、「１２」の識別子が選択されたものする。
【００５２】
本発明の説明として、タッチスクリーン１２にＷｅｂページが表示された場合の例について説明したが、これに限定されず、操作可能な項目を表示する画面であれば、任意の画面に対して上述した表示制御処理を適用できる。
【００５３】
本発明に係る携帯端末（携帯電話機１）によると、表示・入力の双方が可能なタッチスクリーン１２を備え、タッチスクリーン１２に一度に多くの情報を表示できるとともに、表示情報のうちユーザにより操作可能な項目を、ユーザの持ち手の指の近辺にまとめて表示することにより、ユーザがタッチスクリーン１２に表示された操作可能な項目を片手で簡単に選択することが可能になる。
【００５４】
本発明の説明として、携帯電話機１について説明したが、これに限定されず、ＰＨＳ（Ｐｅｒｓｏｎａｌ  Ｈａｎｄｙｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔｓ）、携帯型音楽プレイヤー、携帯型ゲーム機等、タッチスクリーンを備えた携帯端末であれば任意の携帯端末で構わない。
【符号の説明】
【００５５】
１…携帯電話機、１１…筐体，１２…タッチスクリーン，１３…スピーカ，１４…マイクロフォン，１５…電源ボタン，２０…主制御部，２１…電源回路部，２２…入力制御部，２３…表示制御部，２４…記憶部，２５…音声制御部，２６…通信制御部，２６ａ…アンテナ，３０…表示画面、３１…リンク、３２…テキストボックス、３３…入力パネル、３４…識別子ボタン、３５…矢印ボタン、３６…終了ボタン、３７…ソフトウェアキーボード、４０…対応情報。
【図１】
2010160564.tif 000003
【図２】
2010160564.tif 000004
【図３】
2010160564.tif 000005
【図４】
2010160564.tif 000006
【図５】
2010160564.tif 000007
【図６】
2010160564.tif 000008
【図７】
2010160564.tif 000009
【図８】
2010160564.tif 000010
【図９】
2010160564.tif 000011
【図１０】
2010160564.tif 000012